(57)【要約】【課題】  可搬型記憶装置等の対象物と無線タグとの対応関係を、特別の注意を払うことない物品探索装置を提供する【解決手段】  送信装置７から探索コードを変調した電波が送信され、この電波を無線タグ２が受信する。無線タグ２は、可搬型記憶装置１の不揮発性メモリから識別コードを読み込み、両者が一致したときに、報知回路によりその所在を報知する。【選択図】  図２
2005165967.tif 000002
【特許請求の範囲】
【請求項１】
主たる記憶手段と、識別情報を記憶する第二の記憶手段と、外部装置と通信するためのインターフェース手段と、を有する可搬型記憶装置と、
探索情報を入力する入力手段と、当該探索情報を所定の信号に変調する変調手段と、当該変調信号を探索電波として送信する送信手段と、を有する送信装置と
上記探索電波を受信する受信手段と、受信した電波から上記探索情報を復調する復調手段と、上記インターフェース手段と相互に接続されるインターフェース手段と、当該インターフェース手段を介して上記第二の記憶手段に記憶された識別情報を読出す識別情報読出し手段と、上記探索情報と上記識別情報を比較する比較手段と、該比較手段の比較結果に基づいて報知を行う報知手段と、を有する受信モジュール
とからなることを特徴とする可搬型記憶装置の探索装置。
【請求項２】
上記受信モジュールに電源手段をさらに備え、当該電源手段の電力供給によって上記受信モジュールおよび上記可搬型記憶装置が動作することを特徴とする請求項１の可搬型記憶装置の探索装置。
【請求項３】
上記受信モジュールと上記可搬型記憶装置とが、上記インターフェース手段の信号および上記電源手段の電力供給ラインを含んだコネクタにより、着脱可能に構成されていることを特徴とする請求項２の可搬型記憶装置の探索装置。
【請求項４】
上記電源手段の上記受信モジュールへの電力供給は、上記コネクタのループバックラインにより実施されることを特徴とする請求項３の可搬型記憶装置の探索装置。
【請求項５】
上記受信モジュールに上記可搬型記憶装置への接続検知手段をさらに備え、上記電源手段の電力供給は、当該接続検知手段の検知結果に基づいて行われることを特徴とする請求項３、４の可搬型記憶装置の探索装置。
【請求項６】
上記受信モジュールに上記探索電波の搬送波を検出する搬送波検出手段をさらに備え、上記受信モジュール（上記受信手段および上記搬送波検出手段を除く）と上記可搬型記憶装置への電力供給は、上記搬送波検出手段の検出結果に基づいて行われることを特徴とする請求項３〜５の可搬型記憶装置の探索装置。
【請求項７】
上記受信モジュールが、上記可搬型記憶装置を収納するケースと一体に構成されたことを特徴とする請求項１〜６の可搬型記憶装置の探索装置。
【請求項８】
上記送信装置における探索情報入力手段として、ヒューマンインターフェース手段と、他の装置と接続されるインターフェース手段との二種類の手段を備えていることを特徴とする請求項１の可搬型記憶装置の探索装置。
【発明の詳細な説明】
【技術分野】
【０００１】
本発明は電波を用いた物品探索装置、特に可搬型記憶装置の探索に好適な物品探索装置に関するものである。
【背景技術】
【０００２】
静止画ファイル、動画ファイル、音声ファイルなど、コンテンツのマルチメディア化に伴い個々のファイルのサイズは増大の一途をたどっている。このため可搬型記憶装置（リムーバブルストレージ装置）にも大容量化の要請が大きく、近年ハードディスクドライブ装置をベースとした可搬型記憶装置が種々発表されてきている。
【０００３】
例えば去る２００２年３月６日にはｉＶＤＲハードディスクドライブ・コンソーシアム（http://www.ivdr.org）によって２．５インチ型のハードディスク装置をベースとした可搬型記憶装置が発表されている。（「ｉＶＤＲ」はｉＶＤＲハードディスクドライブ・コンソーシアムの商標。）
さて可搬型記憶装置が大容量化すると、個々のファイルをどの可搬型記憶装置に記憶させておいたのかの管理が難しくなってくる。従来より可搬型記憶装置の管理方法として紙等のラベルを用いてきた。しかしながら可搬型記憶装置が大容量化するにつれて、数行のラベル表記で可搬型記憶装置全体の内容を表すことは困難になってきている。そこで個々のファイルがどの可搬型記憶装置に記憶されているのかのデータベースを作り、該データベースによって管理を行う方法がしばしば用いられる。
【０００４】
ところがデータベースを用いても、目的とする可搬型記憶装置の所在まで管理するのはなかなか困難である。可搬型記憶装置が小数のうちは、収納場所を決めておくなどで管理が可能であるが、多数になってくると収納場所が複雑に分散し、かつまた分散した収納場所を取り違えるなどの間違いが増えてきて、結局のところ所望の可搬型記憶装置の所在を探しあぐねてしまうことになる。そこで可搬型記憶装置の物理的所在を探索する探索装置の必要性が高まってくる。
【０００５】
ところで電波・電磁誘導等の無線技術を用いて物品の所在を探索する装置が、従来より考案されている。例えば特開２０００−５３２３６には物品を特定するＩＤコードを内蔵させた受信装置を対応する物品に取り付けておき、送信装置の側からＩＤコードを信号として送信し、受信装置側でＩＤコードが一致したときに、音声、光等で物品の位置を報知する装置が開示されている。
【０００６】
また特開２０００−２０７６５７には所有者コードが変調された外部信号を受信する受信装置と、当該所有者コードと物品の識別コードの一致を判定する識別回路と、該判定結果を報知する発光素子または発音素子とを、シート状の形状物として構成した物品探索装置が開示されている。
【０００７】
さらに特開２００１−１２６４４２の第二実施例にはＣＤ等の記憶媒体に報知手段たるＬＥＤを備えたデータキャリアラベルを貼付し、検索用リーダ装置を用いて所望の記憶媒体を検索する情報検索システムが開示されている。
【発明の開示】
【発明が解決しようとする課題】
【０００８】
上記従来例は、いずれも物品の識別情報を記憶しておくメモリ部、無線受信部、識別情報比較部、音・光等の報知部、電池などの電源部が同一筐体内にタグ状にパッケージされていて、当該タグを対象物品に貼付するなどして使用するようになっている。
【０００９】
ところが探索の距離を大きくするためタグ側に電池を搭載し、電波を増幅して受信する構成にする場合は、タグの大きさが数ｍｍ〜十数ｍｍ程度の厚みを有するものとなるため、例えばｉＶＤＲハードディスクドライブのように、本体装置のスロットにすき間なく収容される物品には取り付けるのが困難であるという問題を有している。
【００１０】
ところで電波を用いる物品探索装置では、電波を受信するアンテナ部を金属体の近傍に配置すると受信性能に悪影響を与えてしまう。しかしながらｉＶＤＲハードディスクドライブのような可搬型記憶装置では、内部にアルミ筐体でできているハードディスクドライブ装置を内包しているし、静電気耐性を持たせるため、放射ノイズを防止するため、動作時の放熱性を高めるため等々の理由から、外装そのものないしは外装の内張りが金属部材で構成される場合もある。したがって仮に上述した厚みの問題を解決できたとしても、ｉＶＤＲハードディスクドライブのような可搬型記憶装置にタグを取り付ける場合には、アンテナ部を可搬型記憶装置の外装筐体からはみ出すような形で配置する必要性が高い。
【００１１】
そこで上記タグを可搬型記憶装置の端部などに着脱可能に取り付けられる構成にし、探索時のみ取り付けておいて探索後の利用時には取り外すようにすることが考えられる。しかしながら従来技術では識別情報がタグ内部に記憶されているために（言い換えるなら対象物品とタグとの間には何らの電気的な接続もなされていないために）、厳密には物品そのものではなくタグを検索しているに過ぎない。したがって取り外したタグは確実に元の対象物品に取り付けないと次回以降の探索に支障を来してしまうことになる。
【００１２】
このことは対象物品とタグが１組だけのときは問題ないが、複数組になると取り外した複数個のタグがどの対象物品のものだったがわからなくなってしまうという困った事態が発生する。対象物品とタグに同一の記号等が記されたラベル等を貼付しておくなどの運用方法も考えられるが、対象物品とタグとを１対１に対応させなければならないという点に関しては何らの改善もなされていない。
【００１３】
本発明は上記従来技術の欠点に鑑みてなされたものであり、その目的はｉＶＤＲハードディスクドライブ等の可搬型記憶装置に好適であるとともに、対象物品とタグとの対応に注意を払う必要のない物品探索装置を提供することにある。
【課題を解決するための手段】
【００１４】
本発明によれば、主たる記憶手段と、識別情報を記憶する第二の記憶手段と、外部装置と通信するためのインターフェース手段と、を有する可搬型記憶装置と、探索情報を入力する入力手段と、当該入力された探索情報を所定の信号に変調する変調手段と、当該変調信号を探索電波として送信する送信手段と、を有する送信装置と、上記探索電波を受信する受信手段と、受信した電波から上記探索情報を復調する復調手段と、上記インターフェース手段と相互に接続されるインターフェース手段と、当該インターフェース手段を介して上記第二の記憶手段に記憶された識別情報を読出す識別情報読出し手段と、上記探索情報と上記識別情報を比較する比較手段と、該比較手段の比較結果に基づいて報知を行う報知手段と、を有する受信モジュールとからなる可搬型記憶装置の探索装置であって、探索対象物である可搬型記憶装置を特定する識別情報を受信モジュール内部ではなく可搬型記憶装置内の不揮発性メモリに記憶させ、受信モジュールがこれを読取って探索コードとの比較を行うようにしたものである。
【発明の効果】
【００１５】
以上説明してきたように本発明によれば、無線タグを、可搬型記憶装置と本体装置とを接続するためのコネクタに接続できるようにし、当該可搬型記憶装置を本体装置で利用するときは無線タグを取り外す形態としたので、無線タグの形状・大きさには制限がなく従来技術のように適用範囲が限定されない。これにより例えばｉＶＤＲハードディスクドライブのように内部に金属体を有し、加えて本体装置のスロットにすき間なく収容される可搬型記憶装置に対して好適な探索装置を実現できる。
【００１６】
さらに探索対象物である可搬型記憶装置を特定する識別コードを、無線タグ内部ではなく可搬型記憶装置内の不揮発性メモリに記憶させ、無線タグがこれを読取って探索コードとの比較を行うようにした。これにより無線タグと可搬型記憶装置との組み合わせに制限のない探索装置を実現することができる。つまり可搬型記憶装置を利用後に再び無線タグを取り付ける場合に、これまでとは別の無線タグを取り付けても探索動作には何の問題も生じないという、優れた効果を有する。
【００１７】
この特性を利用し、例えば常用する可搬型記憶装置には無線タグを取り付けず、保管しておく可搬型記憶装置にのみ無線タグを取り付けるという運用を行う場合に、業務の都合等で常用／保管の属性の変化が起こった場合でも、保管としていた可搬型記憶装置から無線タグを取り外して常用とし、常用としていた可搬型記憶装置には当該取り外した無線タグをそのまま取り付けるだけで保管すべき可搬型記憶装置とすることができる。従来技術においてこのようなことを実施しようとすれば、無線タグと対象物品たる可搬型記憶装置との組み合わせ情報（データベースの管理情報）をその都度更新する必要があるが、本発明ではそのようなことは全く必要でない。つまり無線タグの使いまわしが容易に実施可能な、使い勝手のよい探索装置を実現できるわけである。
【発明を実施するための最良の形態】
【００１８】
図１は本発明を実施した無線タグ（受信モジュール）と、当該無線タグが取り付けられた可搬型記憶装置の構成図である。図中の構成は可搬型記憶装置１と、これに着脱して使用可能な無線タグ２に大別することができる。
【００１９】
最初に可搬型記憶装置１から説明する。図中１０は装置全体の制御を司る制御回路であり、具体的にはＣＰＵ、ＲＡＭ、ＩＯポート等が１チップに集積されたＬＳＩである。制御回路１０にはＡＴＡインターフェース回路１１、ヘッド駆動回路１２、モータ駆動回路１３、不揮発性メモリ１９が接続されている。
【００２０】
モータ駆動回路１３はモータ１４、１５を駆動制御するもので、モータ１４には磁気記憶媒体（プラッタ）１６が、またモータ１５にはヘッドアーム１８が係合されていて、それぞれでプラッタ１６の回転動作、ヘッドアーム１８のシーク動作を実現する。ヘッド駆動回路１２は磁気ヘッド１７を駆動制御するもので、プラッタ１６の所望の位置からの／へのデータの読み書きを実現する。
【００２１】
読み書きするデータおよびコマンド等はＡＴＡ  Ｉ／Ｆ回路１１およびコネクタ３を介して、可搬型記憶装置１を収容する本体装置側とで相互に転送される。ここで可搬型記憶装置１を収容する本体装置とは、例えばパーソナルコンピュータ等に接続される記憶装置（いわゆる外付けのリムーバブルストレージ装置）や、当該可搬型記憶装置を内蔵したパーソナルコンピュータ等である。
【００２２】
１９は制御回路１０の動作プログラムや、物品探索の際の識別コードが記憶されている不揮発性メモリで、より具体的にはフラッシュメモリである。識別コードを記憶させておく不揮発性メモリ１９には、フラッシュメモリではなくＥＥＰＲＯＭなどを用いてもよい。識別コードは当該可搬型記憶装置を本体装置に収容したときに、ＡＴＡ  Ｉ／Ｆを介してコマンドによりユーザー所望の値を書き込むことができるようになっている。あるいは工場出荷時に不揮発性メモリ１９に製造番号等を記憶させておき、これを識別コードとしてもよい。
【００２３】
以上の構成要素がモールド部材等からなる筐体に包まれ、全体として可搬型記憶装置１を構成する。なおコネクタ３、筐体、ならびにハードディスクドライブとしての基本仕様はｉＶＤＲハードディスクドライブハードウェア規格／インターフェース規格に準拠したものになっている。つまり可搬型記憶装置１はｉＶＤＲハードディスクドライブとして機能する。
【００２４】
つぎに無線タグ２について説明する。図中３０は装置全体の制御を司る１チップＭＰＵである。ＭＰＵ３０内にはＣＰＵ、ＲＯＭ／ＲＡＭ、ＩＯポートなどが集積されている。３２は探索電波を受信するためのアンテナであり、３１の受信回路に接続されている。受信回路３１には増幅回路が含まれ、微弱な探索電波でも受信可能なようになっている。受信した信号からは、３３の復調回路により探索コードが復調される。
【００２５】
３５は可搬型記憶装置１と相互に接続するためのＡＴＡ  Ｉ／Ｆ回路である。ＡＴＡ  Ｉ／Ｆ回路３５はコネクタ３に接続されるコネクタ４を介して、ＡＴＡ  Ｉ／Ｆ回路１１に接続される。これによりＭＰＵ３０は制御回路１０とは相互に通信することができ、この通信によりＭＰＵ３０は不揮発性メモリ１９内に記憶された識別コードを読み出すことができる。ＭＰＵ３０は探索コードと識別コードとの比較を行い、両者が一致しているときに３４の報知回路により、発音・発光・文字表示等の適宜の方法で報知する。
【００２６】
４０は電源としての電池であり、具体的にはアルカリマンガン電池を用いる（３個使用）。電池４０は図からも明らかなように無線タグ２の各構成要素には直接には接続されず、一旦コネクタ４の４４ピンに接続されている。４ピン（ｉＶＤＲハードディスクドライブハードウェア規格での電源ピン）と４４ピンは可搬型記憶装置１側、すなわちコネクタ３の側では短絡されている。つまりコネクタ４の４ピンと４４ピンはコネクタ３に接続された時にループバック状態となる。したがってコネクタ４の４ピンは、無線タグ２を可搬型記憶装置１に接続したときだけ電池４０に接続される。
【００２７】
一方、可搬型記憶装置１の側では４ピンと４４ピンが短絡されていることにより、本体装置、無線タグ２のどちらに接続されたときでも電源の供給を受けることができる。以上の構成により無線タグ２には特に電源スイッチのようなものは存在せず、可搬型記憶装置１に接続することで自動的に電源が投入されるようになっている。なお４４ピンはｉＶＤＲハードディスクドライブハードウェア規格では未使用の信号であるが、本実施例では電池電源を接続するためのラインとして利用する。
【００２８】
ところで電池４０の出力電圧は４．５Ｖとなるが、可搬型記憶装置１内の各回路はＣＭＯＳで構成されており、ＡＴＡ  Ｉ／Ｆの各信号のスレッショルドレベルもＴＴＬ互換であるから４．５Ｖでも十分に動作する。もし４．５Ｖで不都合がある場合は、ＤＣ−ＤＣコンバータなどの適宜の電圧変換手段を用いて５Ｖを生成してから４４ピンに接続すればよい。
【００２９】
また無線タグ２と接続されるとき、プラッタ１６へのアクセス動作は行う必要がない。したがって可搬型記憶装置１ではモータ１４、１５が駆動されないため、電池４０の電力でも可搬型記憶装置１と無線タグ２の全体を十分に動作させることができる。
【００３０】
つぎに図２にシステム全体の構成を示す。１、２はそれぞれ図１で説明した可搬型記憶装置、無線タグである。７は家電品のリモコン様の形状をした探索電波を送信する送信装置である。送信装置からは探索コードが変調された電波が送信され、この電波を無線タグ２で受信する。一方で無線タグ２は、可搬型記憶装置１の不揮発性メモリ１９から識別コードを読み込む。無線タグ２は探索コードと識別コードを比較し、両者が一致したときに報知回路３４によりその所在を報知するわけである。
【００３１】
図３に送信装置の構成を示す。図中５０は装置全体の制御を司る１チップＭＰＵである。ＭＰＵ５０内にはＣＰＵ、ＲＯＭ／ＲＡＭ、ＩＯポートなどが集積されている。５２は探索電波を送信するためのアンテナであり、５１の送信回路に接続されている。ＭＰＵ５０にはキーパッド５４が接続されており、キーパッド５４上の数字ボタンをユーザーが押下することで探索コードを入力する。入力された探索コードは５６のＬＣＤ表示回路に出力され、入力内容を確認できるようになっている。探索コードを入力しおえた後、キーパッド５４上の送信ボタンを押下すると、入力された探索コードが変調された電波が送信される。なお探索コードはユーザーが押下して入力するだけでなく、５５のＵＳＢ  Ｉ／Ｆ回路を介してパーソナルコンピュータ等の情報処理装置からも入力可能なようになっている。
【００３２】
以上説明してきた構成で、所望のファイルが記憶されている可搬型記憶装置あるいは所望のラベル名を有する可搬型記憶装置を探索するには、例えばパーソナルコンピュータ等のデータベースソフトウェアを用いて当該可搬型記憶装置の識別コードを検索し、その識別コード（すなわち探索コード）を手動で、あるいはＵＳＢ  Ｉ／Ｆを利用して送信装置に入力し探索電波を送信することで、目的とする可搬型記憶装置の所在を探索することができる。そして探索した可搬型記憶装置を本体装置で利用するためには、無線タグを取り外して本体装置に収容すればよいわけである。
【００３３】
この際、データベースソフトウェアが動作しているパーソナルコンピュータと可搬型記憶装置の収納場所は、近くである必要は全くない。送信装置は携帯可能な大きさであるから、パーソナルコンピュータの面前で送信モジュールに探索コードを入力し、しかる後送信装置を携えて可搬型記憶装置の収納場所に赴き、探索電波を送信すればよいわけである。
【００３４】
以上説明してきたように、本実施例では探索対象物である可搬型記憶装置を特定する識別コードを、無線タグ内部ではなく可搬型記憶装置内の不揮発性メモリに記憶させ、無線タグがこれを読取って探索コードとの比較を行うようにした。これにより無線タグと可搬型記憶装置との組み合わせには全く制限がなくなる。つまり可搬型記憶装置を利用後に再び無線タグを取り付ける場合に、これまでとは別の無線タグを取り付けても探索動作には何の影響もないわけである。以上の特性を利用して、可搬型記憶装置を収納するプラスチック製のケースと無線タグとを一体化し、可搬型記憶装置への無線タグの取り付けとケースへの収納をワンアクションでできるようにする応用も考えられる。この場合、手近にあるいずれのケースに可搬型記憶装置を収納したとしても、探索動作には何の問題もない。
【００３５】
また本実施例では無線タグを、可搬型記憶装置と本体装置とを接続するためのコネクタに接続できるようにし、当該可搬型記憶装置を本体装置で利用するときは無線タグを取り外す形態とした。これにより無線タグの形状・大きさには制限がなく、従来技術のように適用範囲が限定されない。よって電池を搭載することが可能となるばかりでなく、例えばｉＶＤＲハードディスクドライブのように内部に金属体を有し、加えて本体装置のスロットにすき間なく収容される物品に対して好適な物品探索装置を構成できるわけである。
【００３６】
なお本実施例における探索装置では、送信された電波を無線タグ２の受信回路３１で増幅して受信するようにしたので、電波の到達距離（言い換えるなら探索の範囲）は送信電波から動作電力を得るＲＦＩＤやデータキャリアの場合（１０ｃｍ程度）よりも大きな値（数十ｃｍ〜数ｍ程度）とすることができる。また無線タグを可搬型記憶装置に取り付けてはじめて電源が投入されるようにしたので、無線タグを取り外しているときの無駄な電力消費を防止することができる。
【００３７】
（第２の実施例）
上記実施例ではｉＶＤＲハードディスクドライブを例に説明を行ったが、本発明はこれに限定されるわけではない。例えば本体装置とのインターフェースとしてＳｅｒｉａｌ  ＡＴＡ  Ｉ／Ｆ（以下Ｓ−ＡＴＡ  Ｉ／Ｆ）を採用した可搬型記憶装置であってもよい。
【００３８】
また上記第一実施例では無線タグを可搬型記憶装置に取り付けることで、電源が投入されるようになっているが、これは探索電波の有無に関らず電力が消費される構造となっているため電力の無駄づかいになっている。本実施例ではこのことに対処することとした。
【００３９】
図４は第二実施例における無線タグと、当該無線タグが取り付けられた可搬型記憶装置の構成図である。図中の構成は可搬型記憶装置１’と、これに着脱して使用可能な無線タグ２’に大別することができる。図中１０、１２〜１９はそれぞれ制御回路、ヘッド駆動回路、モータ駆動回路、モータ、モータ、磁気記憶媒体、ヘッド、ヘッドアーム、不揮発性メモリであり、図１で説明したものと同様のものである。２１はＳ−ＡＴＡ  Ｉ／Ｆ回路である。読み書きするデータおよびコマンド等はＳ−ＡＴＡ  Ｉ／Ｆ回路２１およびコネクタ５を介して、可搬型記憶装置１’を収容する本体装置側とで相互に転送される。ここでコネクタ５はＳｅｒｉａｌ  ＡＴＡ規格で定義された信号セグメントと電源セグメントとが一体に構成された２１ピンのプラグコネクタである。
【００４０】
つぎに無線タグ２’について説明する。図中３０〜３４、４０はそれぞれＭＰＵ、受信回路、アンテナ、復調回路、報知回路、アルカリマンガン電池であり、図１で説明したものと同様のものである。
【００４１】
３６は可搬型記憶装置１’と相互に接続するためのＳ−ＡＴＡ  Ｉ／Ｆ回路である。Ｓ−ＡＴＡ  Ｉ／Ｆ回路３５はコネクタ５に接続されるコネクタ６を介して、ＡＴＡ  Ｉ／Ｆ回路２１に接続される。これによりＭＰＵ３０は制御回路１０と相互に通信することができ、この通信によってＭＰＵ３０は不揮発性メモリ１９内に記憶された識別コードを読み出すことができる。なおコネクタ６は、信号セグメント、電源セグメントとも５のＳｅｒｉａｌ  ＡＴＡプラグコネクタに勘合するように構成されたレセプタクルコネクタである。
【００４２】
３７は受信回路３１で探索電波の搬送波が受信されたことを検出するための搬送波検出回路である。搬送波検出回路の出力信号はトランジスタ３９に接続されている。ここで図からも解るように、電池４０はトランジスタ３８を介して受信回路３１と搬送波検出回路３７の電源ラインに接続されている。トランジスタ３８のベースは、抵抗４１でプルアップされるとともにコネクタ６のＰ１０ピンに接続されている。Ｓｅｒｉａｌ  ＡＴＡ規格では、Ｐ１０ピンはＧＮＤである。したがってコネクタ５の側ではＧＮＤとなっているから、無線タグ２’を可搬型記憶装置１’に接続するとトランジスタ３８はＯＮになり、受信回路３１と搬送波検出回路３７に電源が投入される。
【００４３】
さてＳｅｒｉａｌ  ＡＴＡ規格ではコネクタのＰ７〜９ピンは５Ｖ電源と規定されているが、無線タグ２’において電池４０はトランジスタ３９を介してコネクタ６のＰ７、Ｐ８ピンに接続される。一方、Ｐ７、Ｐ８、Ｐ９ピンは可搬型記憶装置１’側、すなわちコネクタ５の側では５Ｖ電源ピンとして短絡されている。つまりコネクタ６のＰ７、Ｐ８ピンとＰ９ピンはコネクタ５に接続された時にループバック状態となる。さらにコネクタ６のＰ９ピンは、ＭＰＵ３０、復調回路３３、報知回路３４、Ｓ−ＡＴＡ  Ｉ／Ｆ回路３６の電源ラインに接続されている。以上の構成によりＭＰＵ３０、復調回路３３、報知回路３４、Ｓ−ＡＴＡ  Ｉ／Ｆ回路３６および可搬型記憶装置１’へは無線タグ２’と可搬型記憶装置１’が接続され、かつ探索電波の搬送波が検出されたときだけ電源が投入される。
【００４４】
以上を整理すると、無線タグ２’には特に電源スイッチのようなものは存在せず、可搬型記憶装置１‘に接続することで自動的に受信回路３１と搬送波検出回路３７への電源が投入され、さらにＭＰＵ３０、復調回路３３、報知回路３４、Ｓ−ＡＴＡ  Ｉ／Ｆ回路３６および可搬型記憶装置１’へは探索電波の搬送波が検出されるまで電源が投入されないようになっている。
【００４５】
以上説明してきたように、本実施例では常時は受信回路３１と搬送波検出回路３７にのみ電源を投入しておき、探索電波の搬送波を検出した後にその他の構成要素に電源が投入されるようにしたので、探索電波が受信されない状態での無駄な電力消費を防止することができる。
【００４６】
なお上記実施例ではいずれもハードディスクドライブ装置をベースとした可搬型記憶装置を例に説明を行ったが、本発明はこれに限定されるわけではなく他の記憶手段、たとえばフラッシュメモリ等の半導体素子を主たる記憶手段とした可搬型記憶装置にも適用可能である。また本体装置とのインターフェースも例示したＡＴＡ、Ｓｅｒｉａｌ  ＡＴＡだけでなく、ＵＳＢ、ＩＥＥＥ１３９４、ＰＣＭＣＩＡ、ＰＣＩ  Ｅｘｐｒｅｓｓなど他の規格のインターフェースであっても一向に構わない。
【００４７】
さらに電池としてアルカリマンガン電池を例に説明したが、リチウム電池などの他の一次電池、二次電池、太陽電池、あるいはこれらの電池を組み合わせて用いてもよい。
【図面の簡単な説明】
【００４８】
【図１】無線タグと当該無線タグが取り付けられた可搬型記憶装置の構成図
【図２】システム全体の構成図
【図３】送信装置の構成図
【図４】第二実施例における無線タグと可搬型記憶装置の構成図
【符号の説明】
【００４９】
１、１’  可搬型記憶装置
２、２’  無線タグ（受信モジュール）
３〜６  コネクタ
７  送信装置
１０  制御回路
１１  ＡＴＡ  Ｉ／Ｆ回路
１２  ヘッド制御回路
１３  モータ制御回路
１４、１５          モータ
１６  磁気記憶媒体（プラッタ）
１７  磁気ヘッド
１８  ヘッドアーム
２１  Ｓ−ＡＴＡ  Ｉ／Ｆ回路
３０  ＭＰＵ
３１  受信回路
３２  アンテナ
３３  復調回路
３４  報知回路
３５  ＡＴＡ  Ｉ／Ｆ回路
３６  Ｓ−ＡＴＡ  Ｉ／Ｆ回路
３７  搬送波検出回路
３８、３９  トランジスタ
４０  電池
４１  プルアップ抵抗
５０  ＭＰＵ
５１  送信回路
５２  アンテナ
５３  変調回路
５４  キーパッド
５５  ＵＳＢ  Ｉ／Ｆ回路
５６  ＬＣＤ表示回路
【図１】
2005165967.tif 000003
【図２】
2005165967.tif 000004
【図３】
2005165967.tif 000005
【図４】
2005165967.tif 000006